(57)【要約】    【課題】  扉用ヒンジの周辺、開閉扉の切り欠き部と枠体との間から、開閉扉の裏側へと不正部材を挿入する等の不正行為を未然に防止できるようにする。    【解決手段】  枠体２を遊技機本体１に対して開閉自在に枢着する枠用ヒンジ３と、開閉扉５を枠体２に対して開閉自在に枢着する扉用ヒンジ７とを上下に近接又は所定の間隔を置いて備え、開閉扉５にその開閉時にヒンジ３，７との干渉を避けるための切り欠き部４２を形成した遊技機において、扉用ヒンジ７を覆うヒンジカバー４３を枠体２に設け、このヒンジカバー４３に、開閉扉５の切り欠き部４２側と枠体２との間を塞ぐ閉塞部６７を設ける。【選択図】    図４
2008302107.tif 000002
【特許請求の範囲】
【請求項１】
枠体（２）を遊技機本体（１）に対して開閉自在に枢着する枠用ヒンジ（３）と、開閉扉（５）を前記枠体（２）に対して開閉自在に枢着する扉用ヒンジ（７）とを上下に近接又は所定の間隔を置いて備え、前記開閉扉（５）にその開閉時に前記ヒンジ（３，７）との干渉を避けるための切り欠き部（４２）を形成した遊技機において、前記扉用ヒンジ（７）を覆うヒンジカバー（４３）を前記枠体（２）に設け、該ヒンジカバー（４３）に、前記開閉扉（５）の前記切り欠き部（４２）側と前記枠体（２）との間を塞ぐ閉塞部（６７）を設けたことを特徴とする遊技機。
【請求項２】
前記開閉扉は前記枠体（２）に装着された遊技盤（１１）の遊技領域（１５）を透視可能に覆うガラス扉（５）であり、前記閉塞部（６７）は前記ガラス扉（５）を閉じたときに該ガラス扉（５）の前記切り欠き部（４２）側の後端縁が前側から近接又は当接することを特徴とする請求項１に記載の遊技機。
【請求項３】
前記ヒンジカバー（４３）は、前記枠体（２）の前面に当接して固定される本体部（６５）と、該本体部（６５）から前側に突出し且つ前記扉用ヒンジ（７）が下側から嵌合するカバー部（６６）と、前記本体部（６５）の前側に配置され且つ前記開閉扉（５）を閉じたときに該開閉扉（５）の前記切り欠き部（４２）側の後端縁が前側から当接する前記閉塞部（６７）とを有することを特徴とする請求項１又は２に記載の遊技機。
【請求項４】
前記閉塞部（６７）は、前記開閉扉（５）の前記切り欠き部（４２）側の後端が前側から当接する前当接面（７６）と、該前当接面（７６）よりも前側に突出し且つ前記切り欠き部（４２）の切り欠き面（４５〜４８）に近接し重合する重合面（７４，７７）とを有することを特徴とする請求項１〜３の何れかに記載の遊技機。
【請求項５】
前記ヒンジカバー（４３）は、前記枠用ヒンジ（３）の近傍で前記枠体（２）の外周縁（３０ｂ）の前面に当接する外周当接部（７９）を有することを特徴とする請求項１〜４の何れかに記載の遊技機。
【発明の詳細な説明】
【技術分野】
【０００１】
本発明は、パチンコ機、アレンジボール機、雀球遊技機、スロットマシン等の遊技機に関するものである。
【背景技術】
【０００２】
外枠の前側に上下一対の枠用ヒンジにより前枠を開閉自在に枢着し、この前枠の前側に上下一対の扉用ヒンジによりガラス扉を開閉自在に枢着したパチンコ機等の弾球遊技機の場合、上下の枠用ヒンジと扉用ヒンジとの内、枠用上部ヒンジと扉用上部ヒンジは上下に近接して配置され、しかもそのヒンジピンが前枠及びガラス扉の後端よりも前側にあるため、各ヒンジに対応して前枠及びガラス扉の上隅部に切り欠き部を形成して、前枠及びガラス扉の開閉時にヒンジと干渉しないようにしている。
【０００３】
しかし、このような構造では、その切り欠き部によって前枠とガラス扉との間に大きな隙間ができるため、その隙間からガラス扉の裏側へとピアノ線その他の不正部材を挿入して内部機構を不正に作動させたり、扉用上部ヒンジのヒンジピンを不正に押し下げて解除したりする等の不正行為を招く惧れがある。
【０００４】
そこで、例えば枠用上部ヒンジの外枠側の固定ヒンジブラケットに、上方に突出する突部とその中央に位置するピン孔とを形成し、枠用上部ヒンジの前枠側の可動ヒンジブラケットに、固定ヒンジブラケットの突部と嵌合する凹部を形成し、扉用上部ヒンジの可動ヒンジブラケットのヒンジピンを外枠側の固定ヒンジブラケットのピン孔に挿脱自在に挿入する等の対策が講じられている（特許文献１）。
【特許文献１】特開２００７−８９６７５号公報
【発明の開示】
【発明が解決しようとする課題】
【０００５】
このような構造にすれば、外枠側の固定ヒンジブラケットを枠用上部ヒンジと扉用上部ヒンジとに兼用しているため、ガラス扉の切り欠き部が小さくなり不正行為を少なくできる利点がある。しかし、外枠側の固定ヒンジブラケットとガラス扉の切り欠き部との間には依然として隙間があるため、その隙間からガラス扉の裏側へと不正部材を挿入される惧れがあり、不正行為の防止と云う点では実効性に欠けるという問題がある。
【０００６】
本発明は、かかる従来の問題点に鑑み、扉用ヒンジの周辺、開閉扉の切り欠き部と枠体との間から、開閉扉の裏側へと不正部材を挿入する等の不正行為を未然に防止できる遊技機を提供することを目的とする。
【課題を解決するための手段】
【０００７】
本発明は、枠体２を遊技機本体１に対して開閉自在に枢着する枠用ヒンジ３と、開閉扉５を前記枠体２に対して開閉自在に枢着する扉用ヒンジ７とを上下に近接又は所定の間隔を置いて備え、前記開閉扉５にその開閉時に前記ヒンジ３，７との干渉を避けるための切り欠き部４２を形成した遊技機において、前記扉用ヒンジ７を覆うヒンジカバー４３を前記枠体２に設け、該ヒンジカバー４３に、前記開閉扉５の前記切り欠き部４２側と前記枠体２との間を塞ぐ閉塞部６７を設けたものである。
【発明の効果】
【０００８】
本発明では、ヒンジカバー４３を設けることにより、扉用ヒンジ７の周辺、開閉扉５の切り欠き部４２と枠体２との間から、開閉扉５の裏側へと不正部材を挿入する等の不正行為を未然に防止できる。
【発明を実施するための最良の形態】
【０００９】
以下、本発明の実施例を図面に基づいて詳細に説明する。図面は本発明をパチンコ機等の弾球遊技機に採用した一実施例を例示する。図１、図２において、１は矩形枠状の外枠（遊技機本体の一例）であり、この外枠１の前に前枠（枠体の一例）２が配置されている。前枠２は左側において前枠２の上下両端部に配置された枠用上部ヒンジ３及び枠用下部ヒンジ４を介して外枠１に縦軸心廻りに開閉自在及び着脱自在に枢着されている。
【００１０】
前枠２の前面にはガラス扉（開閉扉の一例）５と前面扉６とが上下に配置され、このガラス扉５及び前面扉６は上下両端部に配置された扉用上部ヒンジ７，８、扉用下部ヒンジ９，１０により前枠２に対して枠用ヒンジ３，４と同じ側で縦軸心廻りに開閉自在に装着されている。また前枠２にはガラス扉５の裏側に対応して遊技盤１１が着脱自在に装着されている。なお、前枠２、ガラス扉５、前面扉６は枠用ヒンジ３，４と反対側に設けられた施錠手段１２により外枠１に閉状態で施錠されている。
【００１１】
遊技盤１１の前面には、発射手段１３から発射された遊技球を案内するガイドレール１４が環状に装着され、そのガイドレール１４の内側の遊技領域１５内に図柄表示手段、図柄始動手段、可変入賞手段、普通入賞手段等（何れも図示省略）の複数の遊技部品が装着されている。
【００１２】
ガラス扉５は、図５〜図１０にも示すように、遊技盤１１の遊技領域１５に対応する窓孔１６を有する扉枠１７と、この扉枠１７の裏側に装着された板金製の補強板１８と、補強板１８の裏側で扉枠１７に着脱自在に装着され且つ窓孔１６を塞ぐガラスユニット１９と、窓孔１６の外周で扉枠１７の前面に装着された各種の装飾カバー２０とを備え、ガラスユニット１９を通して遊技盤１１の遊技領域１５を視認できるようになっている。
【００１３】
なお、ガラス扉５の前面上部には左右両側に放音口２１が設けられ、この各放音口２１に対応して前枠２の前面上部の左右両側にスピーカ２２が設けられている。
【００１４】
前面扉６の前面には、発射用の遊技球を貯留するための供給皿２４が装着され、この供給皿２４を挟んで灰皿２５と発射手段１３の発射ハンドル２６とが左右両側に配置されている。また前面扉６の裏側には球送り手段２７が装着されており、遊技に際して遊技者が発射ハンドル２６を操作した場合に、この球送り手段２７が発射手段１３の発射動作に連動して供給皿２４の遊技球を発射手段１３の発射レール２８上へと１個ずつ送るようになっている。
【００１５】
前枠２は合成樹脂製であって、外枠１の前面側に当接可能な矩形状の枠部３０と、この枠部３０の上部側に設けられた遊技盤装着部３１と、この遊技盤装着部３１の下側で枠部３０の下部に配置された支持板３２とを一体に備えている。
【００１６】
前枠２の枠部３０のヒンジ３，４、７〜１０側の側縁部３３には、図２、図３に示すように、枠用上部ヒンジ３、枠用下部ヒンジ４間に跨がって補強金具３４が外側から嵌合され、この補強金具３４によって前枠２の側縁部３３が補強されている。補強金具３４は前縁３６と後縁３７とを有する断面コ字状であり、その後縁３７が裏側からのネジ等により枠部３０の裏面に固定されている。
【００１７】
遊技盤装着部３１には遊技盤１１が前側から嵌脱自在に嵌合されている。遊技盤１１はガイドレール１４と反対側に配置された上下一対の固定具３８により着脱自在に固定されている。支持板３２には発射手段１３、スピーカ３９等が左右に配置されている。
【００１８】
発射手段１３は球送り手段２７に対応して支持板３２の左右方向の略中央に配置されている。そして、遊技に際して遊技者が発射ハンドル２６を操作した場合に、発射手段１３の打撃槌で発射レール２８上の遊技球を打撃してガイドレール１４側へと発射するようになっている。
【００１９】
前枠２用の枠用上部ヒンジ３とガラス扉５用の扉用上部ヒンジ７は、図３〜図１１に示すように、上下に所定の間隔で近接して配置されている。一方、ガラス扉５の上隅部には、図３、図１１に示すように、ガラス扉５の開閉時に枠用上部ヒンジ３、扉用上部ヒンジ７との干渉を避けるための切り欠き部４２が枠用上部ヒンジ３、扉用上部ヒンジ７に対応して設けられている。また前枠２の上隅部の前面には、図３〜図１０に示すように、扉用上部ヒンジ７を覆い且つ切り欠き部４２側でのガラス扉５と前枠２との間を閉塞するヒンジカバー４３が設けられている。
【００２０】
従って、ガラス扉５を自在に開閉でき、またガラス扉５の上隅部に比較的大きな切り欠き部４２があるにも拘わらず、扉用上部ヒンジ７の周辺を含む切り欠き部４２側からガラス扉５の裏側、例えば遊技盤１１の遊技領域１５等への不正部材の挿入を防止できるようになっている。
【００２１】
ガラス扉５の切り欠き部４２を除く上縁、施錠手段１２側の側縁は、閉状態のときにガラス扉５の外周部の後端縁が枠部３０の外周部の前面に当接又は近接し、補強板１８の折り曲げ縁が枠部３０の内側に嵌合している。またガラス扉５のヒンジ３，４，７〜１０側の側縁部３３では、補強板１８の折り曲げ縁が補強金具３４の前縁３６の後側に嵌合している。このため、ガラス扉５の切り欠き部４２を除く外周側でも、ガラス扉５の裏側へと不正部材を挿入することはできない。
【００２２】
切り欠き部４２は、ガラス扉５の開閉時に枠用上部ヒンジ３、扉用上部ヒンジ７との干渉を避けるためのものであって、図３に示すように、枠用上部ヒンジ３に対応する上縦切り欠き面４５及び上横切り欠き面４６と、扉用上部ヒンジ７に対応する下縦切り欠き面４７及び下横切り欠き面４８から成り、全体としてガラス扉５の中央側から外下側へと下がる階段状に形成されている。このためガラス扉５の上隅部の切り欠き部４２は、枠用上部ヒンジ３及び扉用上部ヒンジ７の上下方向の位置、前方への突出量を考慮して必要最小限の大きさにできる。
【００２３】
前枠２用の枠用上部ヒンジ３は、外枠１の上端に固定され且つ切り欠き部４２の上横切り欠き面４６の上側近傍の高さで前方に突出する固定ヒンジブラケット５０と、前枠２の上端に固定され且つ固定ヒンジブラケット５０の上側で前方へと突出する可動ヒンジブラケット５１とを有する。そして、可動ヒンジブラケット５１の前端部に下向きに固定されたヒンジピン５２が固定ヒンジブラケット５０のピン孔５３に上側から挿脱自在に嵌合されている。固定ヒンジブラケット５０は前枠２、ガラス扉５の上端面よりも下に配置され、またヒンジピン５２は前枠２の後端よりも前側に配置されている。
【００２４】
なお、前枠２の上端部には、前枠２の開閉時に外枠１側の固定ヒンジブラケット５０との干渉を避けるための切り欠き部５４が補強金具３４の上側に形成されている。しかし、この切り欠き部５４は前枠２を閉状態にしたときに、後端周縁が外枠１の前面によって当接して閉塞されている。このため切り欠き部５４側から前枠２の裏側へと不正部材を挿入することはできない。
【００２５】
ガラス扉５用の扉用上部ヒンジ７は、図３〜図５に示すように、枠用上部ヒンジ３の下側に所定の間隔を置いて配置されており、前枠２に固定され且つ切り欠き部４２の下横切り欠き面４８の上側近傍で前方へと突出する固定ヒンジブラケット５５と、切り欠き部４２の下横切り欠き面４８側でガラス扉５に上下動自在に設けられ且つ固定ヒンジブラケット５５の前端部のピン孔５６に下側から挿脱自在に挿入されたヒンジピン５７とを有する。ヒンジピン５７はガラス扉５の前部側（ガラス扉５の後端よりも前側）に配置されている。
【００２６】
固定ヒンジブラケット５５は、図５に示すように、前枠２の枠部３０の裏側で下方へと屈曲する取り付け部５５ａを有し、その取り付け部５５ａが補強金具３４にネジ等で着脱自在に固定されている。ヒンジピン５７は補強板１８に固定されたコ字状の保持金具５８に上下方向に摺動自在に挿通されると共に、バネ５９により固定ヒンジブラケット５５側へと上方に付勢されている。
【００２７】
なお、ヒンジピン５７は、補強板１８の通孔６０から裏側へと突出する摘まみ部６１が屈曲形成され、この摘まみ部６１によりヒンジピン５７を上下方向に挿脱操作するようになっている。
【００２８】
保持金具５８は、図５に示すように、その上端が切り欠き部４２の下横切り欠き面４８と略面一状に配置されており、補強板１８の裏面に配置された当て板６２と共にリベット等により補強板１８の後縁に固定されている。当て板６２の上端には、固定ヒンジブラケット５５の下側近傍で後方へと屈曲してガラス扉５の後端縁よりも後方へと突出する屈曲部６２ａが設けられ、この屈曲部６２ａにより保持金具５８の裏側で前枠２の枠部３０との間の隙間を閉塞している。
【００２９】
このため、ガラス扉５の下横切り欠き面４８と固定ヒンジブラケット５５との間から、ガラス扉５の裏側へと不正部材を挿入することはできない。なお、ガラス扉５には、図１０、図１１に示すように、屈曲部６２ａの内側近傍で下縦切り欠き面４７の後端から後方へと突出する突出壁６３が設けられている。
【００３０】
ヒンジカバー４３は、図３〜図１２に示すように、前枠２の枠部３０の前面に当接する本体部６５と、この本体部６５から前側に突出し且つ扉用上部ヒンジ７の固定ヒンジブラケット５５を上側及び外周側から覆うカバー部６６と、本体部６５の前側に設けられ且つ切り欠き部４２側が前側から当接及び／又は近接して前枠２とガラス扉５との間を塞ぐ閉塞部６７とを一体に備え、ガラス扉５の裏側等への不正部材の挿入を阻止するようになっている。
【００３１】
本体部６５は裏側が開放する箱状であって、左右方向に複数、例えば２本のネジ６８，６９により裏側から前枠２の枠部３０に固定されている。２本のネジ６８，６９の内、一方のネジ６８は補強金具３４の裏側で覆われており、他方のネジ６９は枠用上部ヒンジ３の可動ヒンジブラケット５１の取り付け部５１ａと前枠２の枠部３０を挟んで共締めしている。
【００３２】
カバー部６６は本体部６５の下部から前方に突出しており、また本体部６５にはカバー部６６の上側に枠用上部ヒンジ３に対応する切り欠き部７０が形成され、この切り欠き部７０とカバー部６６との間に、カバー部６６よりも突出量の小さい段部７１が形成されている。このためカバー部６６が本体部６５から大きく突出しているにも拘わらず、この段部７１によってカバー部６６の基部側を補強でき、不正行為によるカバー部６６の損傷等を未然に防止できる。
【００３３】
カバー部６６の下側には凹部７２が形成され、その凹部７２に固定ヒンジブラケット５５が下側から嵌合している。なお、カバー部６６には、固定ヒンジブラケット５５の上面に当接する当接縁７３が前後方向に形成されている。
【００３４】
閉塞部６７はカバー部６６及び段部７１の内側に縦方向に形成された外重合面７４と、この外重合面７４の後端側に形成された後当接面７５と、本体部６５の前面に形成された前当接面７６と、前当接面７６の前上側に形成された屈曲重合面７７とを有する。
【００３５】
外重合面７４は下端がカバー部６６よりも若干下側に突出しており、ガラス扉５が閉状態のときに切り欠き部４２の下縦切り欠き面４７と左右に重合し、また下端部が屈曲部６２ａと突出壁６３との間に嵌合している。
【００３６】
更に後当接面７５の下端は外重合面７４よりも若干下側に突出しており、ガラス扉５が閉状態のときに突出壁６３の後端が前側から当接又は近接している。このためカバー部６６と切り欠き部４２の下縦切り欠き面４７との間からガラス扉５の裏側へと不正部材を挿入することはできない。
【００３７】
前当接面７６にはガラス扉５の切り欠き部４２側の上縦切り欠き面４５、上横切り欠き面４６の後端が前側から当接又は近接している。屈曲重合面７７は前当接面７６から前側に突出する偏平な突部７８の側面及び下面により形成され、ガラス扉５の閉状態のときに切り欠き部４２の上縦切り欠き面４５及び上横切り欠き面４６に対して左右方向、上下方向に重合するようになっている。
【００３８】
このようにヒンジカバー４３は、その当接面にガラス扉５の切り欠き部４２側の後端縁が前側から当接又は近接するだけでなく、切り欠き部４２の切り欠き面４５〜４８に近接して左右方向、上下方向に重合する重合面７４，７７を有するため、ヒンジカバー４３の閉塞部６７とガラス扉５の切り欠き部４２との間に屈曲迷路状の閉塞路が形成されることになり、無理に外力を加えて不正部材を挿入するようなことも困難であり、不正行為の防止効果が更に向上する。
【００３９】
本体部６５の外周には、前枠２の枠部３０の外周縁３０ｂに前側から当接する外周当接縁７９がその上側から外側にかけて形成されている。このためヒンジカバー４３と前枠２との間からガラス扉５の裏側へと不正部材を挿入することはできない。またカバー部６６の外側は外周当接縁７９の前側に外側からの切り込み部８０があり、この切り込み部８０に補強金具３４の前縁３６側の切り欠き部が入り、この切り欠き部の上側の外周当接縁７９が補強金具３４の前縁３６の裏側に入っている。このため補強金具３４側でも、ヒンジカバー４３との間からガラス扉５の裏側へと不正部材を挿入することもできない。
【００４０】
従って、このような形状、構造のヒンジカバー４３を使用し、そのヒンジカバー４３の各部に対応してガラス扉５の切り欠き部４２及び前枠２の対応部分を所定の形状、構造とすることによって、扉用上部ヒンジ７、切り欠き部４２等の周辺部分からガラス扉５の裏側へと不正部材を挿入して、遊技盤１１その他の内部機構に対して不正工作を行う等の不正行為を未然に防止できる。
【００４１】
また強度的、構造的に面積を比較的確保し難い後当接面７５側では、外重合面７４と下縦切り欠き面４７との前後方向の重合幅を十分に取り、逆に上下方向及び左右方向の面積を確保し易い前当接面７６側では、屈曲重合面７７と上縦切り欠き面４５及び上横切り欠き面４６との前後方向の重合幅を小さくしているので、扉用ヒンジ７，９廻りのガラス扉５の開閉動作を損なうことなく不正部材の挿入を確実に阻止できる。
【００４２】
またヒンジカバー４３のカバー部６６は本体部６５から前方に突出しているが、その基部側に段部７１がある上に、下側の凹部７２に固定ヒンジブラケット５５が嵌合し、しかも枠用上部ヒンジ３の固定ヒンジブラケット５０がその上側近傍にあるため、前枠２の着脱、ガラス扉５の着脱等に際してもヒンジカバー４３、取り分けそのカバー部６６の損傷等を防止できる。
【００４３】
なお、図２に示すように、ガラス扉５用の扉用下部ヒンジ９と前面扉６用の扉用上部ヒンジ８、前面扉６用の扉用下部ヒンジ１０と前枠２用の枠用下部ヒンジ４は夫々上下に近接して配置されている。
【００４４】
前枠２用の枠用下部ヒンジ４は、前枠２の下側で外枠１に固定されて前側に突出する固定ヒンジブラケット８３と、前枠２の下端に固定されて前側に突出する可動ヒンジブラケット８４とを有し、固定ヒンジブラケット８３の前端部に上向きに固定されたヒンジピンが可動ヒンジブラケット８４のピン孔に下側から挿脱自在に嵌合されている。
【００４５】
前枠２用の枠用下部ヒンジ４と前面扉６用の扉用下部ヒンジ１０との間には、図１、図１３、図１４に示すように、前枠２から前方に突出し且つ前面に枠用下部ヒンジ４に沿うように保護カバー８５が装着された突部８６が設けられている。保護カバー８５は裏側に突出する左右一対の係合爪８７を有し、この係合爪８７を突部８６の左右一対の係合孔８８に係合させて着脱自在に固定されている。
【００４６】
以上、本発明の実施例について詳述したが、本発明は実施例に限られるものではなく種々の変更が可能である。例えば、実施例ではガラス扉５の上部側に配置された枠用上部ヒンジ３及び扉用上部ヒンジ７に対応する部分について例示したが、開閉扉側に切り欠き部４２を設ける必要のある箇所であれば、他の枠用ヒンジ、扉用ヒンジに対応する箇所に利用してもよい。従って、開閉扉は、ガラス扉５以外の扉でもよい。
【００４７】
またヒンジカバー４３の構造、扉側の切り欠き部４２の形状、構造は、両者間に隙間が生じないように閉塞できるものであれば十分である。枠用ヒンジと扉用ヒンジは、実施例に例示するように上下方向に所定の間隔を置いて配置してもよいし、ガラス扉５の開閉に支障が生じないように上下に近接して配置してもよい。従って、カバー部６６の上下に、枠用ヒンジと扉用ヒンジとの固定ヒンジブラケット５０，５５が嵌合する凹部を設け、このカバー部６６で上下両側の固定ヒンジブラケット５０，５５を覆うように構成してもよい。
【００４８】
実施例では遊技機本体として外枠１を、枠体として前枠２を夫々例示しているが、枠体は遊技機本体の内側に配置される内枠とし、この内枠に開閉扉を開閉自在に装着してもよい。
【００４９】
その他、実施例では弾球遊技機について例示しているが、弾球遊技機以外の遊技機、例えばスロットマシン等の各種の遊技機でも同様に実施することができる。  
【図面の簡単な説明】
【００５０】
【図１】本発明の一実施例を示すパチンコ機等の弾球遊技機の斜視図である。
【図２】同開閉扉を開放した状態の斜視図である。
【図３】同ヒンジ部の斜視図である。
【図４】同前枠の上隅部の正面図である。
【図５】同図４のＡ矢示図である。
【図６】同図４のＢ矢示図である。
【図７】同図４のＣ矢示図である。
【図８】同図４のＤ矢示図である。
【図９】同図４のＥ矢示図である。
【図１０】同図４のＦ矢示図である。
【図１１】同ガラス扉のヒンジ部側の平面図である。
【図１２】同ヒンジカバーの斜視図である。
【図１３】同保護カバー部の断面図である。
【図１４】同保護カバーの斜視図である。
【符号の説明】
【００５１】
１  外枠（遊技機本体）
２  前枠（枠体）
３  枠用上部ヒンジ
５  ガラス扉（開閉扉）
７  扉用上部ヒンジ
１１  遊技盤
３０ｂ  外周縁
４２  切り欠き部
４３  ヒンジカバー
４５  上縦切り欠き面
４６  上横切り欠き面
４７  下縦切り欠き面
４８  下横切り欠き面
６５  本体部
６６  カバー部
６７  閉塞部
７４  外重合面
７６  当接面
７７  屈曲重合面
７９  外周当接部
【図１】
2008302107.tif 000003
【図２】
2008302107.tif 000004
【図３】
2008302107.tif 000005
【図４】
2008302107.tif 000006
【図５】
2008302107.tif 000007
【図６】
2008302107.tif 000008
【図７】
2008302107.tif 000009
【図８】
2008302107.tif 000010
【図９】
2008302107.tif 000011
【図１０】
2008302107.tif 000012
【図１１】
2008302107.tif 000013
【図１２】
2008302107.tif 000014
【図１３】
2008302107.tif 000015
【図１４】
2008302107.tif 000016